(57)【要約】【課題】安全性を向上させることができる蓄電システムを提供する。【解決手段】蓄電システム１は、蓄電池モジュール２と、充放電装置３と、Ｉ／Ｆ装置４（インターフェース装置４）と、筐体５とを備える。充放電装置３は、蓄電池モジュール２の充放電を制御する。Ｉ／Ｆ装置４は、表示機能と操作機能との少なくとも一方を有し、充放電装置３の動作に関する情報を充放電装置３との間で受け渡す。筐体５は、蓄電池モジュール２、充放電装置３、及びＩ／Ｆ装置４が取り付けられる。そして、蓄電池モジュール２、及び充放電装置３は、筐体５の内側に収納され、Ｉ／Ｆ装置４は、筐体５の外側に取り付けられる。【選択図】図１
2016219284.tif 000002
【特許請求の範囲】
【請求項１】
蓄電池モジュールと、
前記蓄電池モジュールの充放電を制御する充放電装置と、
表示機能と操作機能との少なくとも一方を有し、前記充放電装置の動作に関する情報を前記充放電装置との間で受け渡すインターフェース装置と、
前記蓄電池モジュール、前記充放電装置、及び前記インターフェース装置が取り付けられる筐体とを備え、
前記蓄電池モジュール、及び前記充放電装置は、前記筐体の内側に収納され、
前記インターフェース装置は、前記筐体の外側に取り付けられる
ことを特徴とする蓄電システム。
【請求項２】
前記インターフェース装置は、前記筐体の上面側に取り付けられる
ことを特徴とする請求項１記載の蓄電システム。
【請求項３】
前記筐体の前記上面には、前記筐体の内側と外側とを連続させる貫通孔が設けられ、
前記インターフェース装置と前記充放電装置とは、前記貫通孔を通る接続線を介して電気的に接続され、
前記筐体の前記上面の上側において少なくとも前記貫通孔を覆う屋根カバーをさらに備える
ことを特徴とする請求項２記載の蓄電システム。
【請求項４】
前記筐体の前記上面には、前記筐体の内側と外側とを連続させる貫通孔が設けられ、
前記インターフェース装置と前記充放電装置とは、前記貫通孔を通る接続線を介して電気的に接続され、
前記貫通孔は、前記インターフェース装置の器体によって覆われる
ことを特徴とする請求項２記載の蓄電システム。
【請求項５】
前記屋根カバーは、前記筐体の前記上面全体の上側を覆う
ことを特徴とする請求項３記載の蓄電システム。
【請求項６】
前記筐体は、前記貫通孔の縁の全周に沿って上方に向かって形成されたフランジを有する
ことを特徴とする請求項３〜５のうちいずれか１項に記載の蓄電システム。
【請求項７】
前記インターフェース装置の器体は、ケースと、前壁及び前記前壁の上端部から後向きに突出した上壁を有し前記ケースを覆うカバーとを備え、
前記ケースは、
前記カバーの前記上壁の下側に重なる第１上壁と、
前記第１上壁の下側において前記第１上壁と所定の隙間を空けて上下方向に対向する第２上壁と、
前記第１上壁及び前記第２上壁それぞれの前端部同士を全長にわたって連続させる連続片とを有し、
前記第１上壁は、上下方向に貫通し、前後方向に並んで形成された複数の水抜孔を有する
ことを特徴とする請求項２〜６のうちいずれか１項に記載の蓄電システム。
【発明の詳細な説明】
【技術分野】
【０００１】
本発明は、一般に蓄電システム、より詳細には蓄電池モジュールを有する蓄電システムに関する。
【背景技術】
【０００２】
従来、筐体内に高電圧となる電装部品等を収容した装置が知られている（例えば、特許文献１参照）。特許文献１では、筐体の内側にパワーコンディショナの所定の回路部を開閉するスイッチが設けられている。
【先行技術文献】
【特許文献】
【０００３】
【特許文献１】特開２０１２−１６９３４２号公報
【発明の概要】
【発明が解決しようとする課題】
【０００４】
特許文献１では、手動操作するスイッチが筐体の内側に設けられており、ユーザが筐体内に設けられている高電圧の電装部品に触れることを防止するためにより高い安全性が望まれていた。
【０００５】
本発明は、上記事由に鑑みてなされており、その目的は、安全性を向上させることができる蓄電システムを提供することにある。
【課題を解決するための手段】
【０００６】
本発明の蓄電システムは、蓄電池モジュールと、前記蓄電池モジュールの充放電を制御する充放電装置と、表示機能と操作機能との少なくとも一方を有し、前記充放電装置の動作に関する情報を前記充放電装置との間で受け渡すインターフェース装置と、前記蓄電池モジュール、前記充放電装置、及び前記インターフェース装置が取り付けられる筐体とを備え、前記蓄電池モジュール、及び前記充放電装置は、前記筐体の内側に収納され、前記インターフェース装置は、前記筐体の外側に取り付けられることを特徴とする。
【発明の効果】
【０００７】
本発明では、安全性を向上させることができるという効果がある。
【図面の簡単な説明】
【０００８】
【図１】実施形態の蓄電システムにおける筐体の蓋、及び屋根カバーを取り外した状態の斜視図である。
【図２】実施形態のインターフェース装置の正面図である。
【図３】実施形態のインターフェース装置の分解斜視図である。
【図４】実施形態のインターフェース装置の図２におけるＡ−Ａ断面図である。
【図５】実施形態の蓄電システムにおける屋根カバーを取り外した状態の斜視図である。
【図６】実施形態の蓄電システムの変形例における屋根カバーを取り外した状態の斜視図である。
【図７】実施形態の蓄電システムの変形例における一部を拡大した断面図である。
【発明を実施するための形態】
【０００９】
以下、本発明の実施の形態を図面に基づいて説明する。なお、下記の実施形態において説明する各図は、各構成要素の大きさや厚さそれぞれの比が必ずしも実際の寸法比を反映しているとは限らない。
（実施形態）
以下、本実施形態に係る蓄電システム１について図面を参照して説明する。ただし、以下に説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態の蓄電システム１は、例えば戸建て住宅に設けられる蓄電装置であり、屋内配線と電気的に接続され、屋内配線を介して商用電源から電力供給されることで蓄電池モジュール２を充電する。また、蓄電システム１は、蓄電池モジュール２を放電することで屋内配線を介して電気負荷に電力を供給する。本実施形態の蓄電システム１は、図１に示すように、複数個（本実施形態では３個）の蓄電池モジュール２と、充放電装置３と、インターフェース装置４と、筐体５とを備える。なお、本実施形態では、図１に矢印で示した上下、左右、前後の各方向を基準として説明を行う。
【００１１】
複数個ある蓄電池モジュール２のそれぞれは、充電及び放電が可能な蓄電池を有している。蓄電池モジュール２は、直列又は並列に接続された複数の蓄電池（例えばリチウムイオン電池など）を有している。蓄電池モジュール２は、蓄電池のみ備える構成のほか、温度センサのようなセンサ類、蓄電池の特性データを格納したメモリ、蓄電池の充放電制御や異常監視を行う監視制御部、情報を伝送するための通信部などを備える構成でもよい。
【００１２】
充放電装置３は、複数個の蓄電池モジュール２と屋内配線との間に電気的に接続されて電力変換を行うパワーコンディショナで構成されており、蓄電池モジュール２の充放電を制御する。充放電装置３は、屋内配線を介して商用電源から供給される交流電力を直流電力に変換して蓄電池モジュール２を充電する。また、充放電装置３は、蓄電池モジュール２が出力する直流電力を交流電力に変換して電気負荷に供給する。
【００１３】
筐体５は、前面に開口部５１が設けられた直方体状に形成されている。筐体５は、例えば戸建て住宅などの建物の外壁に後面（開口部５１が設けられた前面と反対側の面）を対向させ、建物の外壁と後面との間に隙間を開けた状態で設置される。筐体５は、複数個（３個）の蓄電池モジュール２と、充放電装置３とを収納する。この筐体５は、箱型の台座５０２に載せられて、設置場所に設置される。なお、台座５０２の上面、下面及び後面はそれぞれが開口している。筐体５の開口部５１には金属製の蓋５０１が、ねじを用いて固定される。
【００１４】
筐体５の内部空間は、床板５２から天井板５３まで形成された隔壁５４によって、右側の第１収納室６１と左側の第２収納室６２とに分けられている。さらに、左側の第２収納室６２は、筐体５の内部空間において上下方向のほぼ中央に設けられた棚板５５によって上側収納室６２１と下側収納室６２２とに分かれている。
【００１５】
第１収納室６１には、充放電装置３が収納されている。充放電装置３は、電力変換を行う回路が形成された回路基板と、回路基板などの部材を収納する角筒状のカバー３１とを有している。充放電装置３は第１収納室６１における上側の位置に配置されている。
【００１６】
本実施形態では、第１収納室６１において充放電装置３の下側のスペースが外部配線スペースであり、屋内配線と充放電装置３との間を電気的に接続する外部配線Ｗ１が引き回される。筐体５の床板５２には、上下方向に貫通した貫通孔５２１が設けられている。外部配線Ｗ１は、例えば台座５０２の後側の開口から台座５０２の内部に挿入され、床板５２に設けられた貫通孔５２１を通して筐体５内に導入される。そして、外部配線Ｗ１が充放電装置３に接続されることで、充放電装置３と屋内配線とが電気的に接続される。
【００１７】
第２収納室６２の上側収納室６２１及び下側収納室６２２には、それぞれ、蓄電池モジュール２を収納可能な蓄電池収納スペースが設けられている。上側収納室６２１には、２つの蓄電池モジュール２が前後方向に並べて収納され、下側収納室６２２には、１つの蓄電池モジュール２が収納されている。また、上側収納室６２１及び下側収納室６２２のそれぞれには、２個の取付台５６が左右方向に間隔を開けて配置されている。２個の取付台５６は、板金をプレス加工して形成されている。蓄電池モジュール２は、２個の取付台５６に跨がるように載せられた状態で、例えば蓄電池モジュール２に固定された金具を取付台５６に、ねじなどを用いて固定することによって、筐体５に取り付けられている。そして、複数個の蓄電池モジュール２のそれぞれは、内部配線Ｗ２を介して充放電装置３と電気的に接続されている。
【００１８】
次に、インターフェース装置４（以降、Ｉ／Ｆ装置４という）について図２〜図５を用いて説明する。本実施形態のＩ／Ｆ装置４は、ユーザと充放電装置３との間で充放電装置３に関する情報を受け渡すハードウェアタイプのマンマシンインターフェースであり、筐体５の天井板５３の上面側に設けられている。Ｉ／Ｆ装置４は、操作機能を有する操作部４０１と、表示機能を有する表示部４０２とを備える操作表示器で構成されており、接続線Ｗ３を介して充放電装置３と電気的に接続されている。ここでいう操作機能とは、ユーザからの操作入力を受け付ける機能のことを示す。また、表示機能とは、情報を表示する機能のことを示す。
【００１９】
操作部４０１は、例えば押しボタンスイッチなどで構成されており、ユーザからの操作入力を受け付ける。本実施形態の操作部４０１は、複数個の押しボタンスイッチを備えて構成されており、それぞれの押しボタンスイッチに互いに異なる操作内容が割り当てられている。そして、Ｉ／Ｆ装置４は、操作部４０１が受け付けた操作入力に対応する操作内容を充放電装置３に伝達する。例えば、ユーザが操作部４０１を操作することによって、充放電装置３に対して蓄電池モジュール２の放電の開始、停止などを指示することができる。
【００２０】
表示部４０２は、例えば表示ランプ、液晶ディスプレイ（例えば７セグメントディスプレイ）などで構成されており、充放電装置３に関する情報を表示する。表示部４０２には、例えば蓄電池モジュール２の放電中、充電中を示す動作状態、充放電装置３のエラーコードなどが表示される。さらに表示部４０２には、蓄電池モジュール２の残容量、ユーザが操作部４０１に入力した操作内容などが表示されてもよい。
【００２１】
そして、操作部４０１を前側から操作可能であり、かつ表示部４０２が前側から視認可能となるように、操作部４０１及び表示部４０２が実装された実装基板がＩ／Ｆ装置４の器体４１に収納される。Ｉ／Ｆ装置４の器体４１は、例えば合成樹脂の成形品であり、前面に開口部４２１（図４参照）を有する矩形箱状のケース４２と、後面に開口部４３１を有しケース４２の開口部４２１を覆う矩形箱状のカバー４３とを備える。ケース４２とカバー４３とは、カバー４３の内側にケース４２が嵌め込まれるように組み合わされる。
【００２２】
カバー４３は、左右方向を長手方向とする矩形箱状に形成されている。カバー４３は、後面に設けられた開口部４３１と、ケース４２の開口部４２１を覆う前壁４３２と、前壁４３２の縁から後方向に突出した上壁４３３、下壁４３４、左壁４３５、右壁４３６を有する。カバー４３の前壁４３２には、前側から表示部４０２の表示内容を視認可能とする透明部材で形成された表示窓４３７が設けられている。さらにカバー４３の前壁４３２には、前壁４３２と一体形成され、前後方向に可撓性を有し前側から操作部４０１の押しボタンスイッチを押し操作可能とする複数個の押しボタン４３８が設けられている。
【００２３】
ケース４２は、左右方向を長手方向とする矩形箱状に形成されている。ケース４２は、前面に設けられた開口部４２１と、後壁４２２と、後壁４２２の縁から前方向に突出した下壁４２３、左壁４２４、右壁４２５とを有する。さらに、ケース４２は、図４に示すように、第１上壁４２６と、第２上壁４２７と、連続片４２８とを有する。
【００２４】
第１上壁４２６は、カバー４３の上壁４３３の下側に重なるように構成されており、上下方向に貫通した複数の水抜孔４２９を有する。複数の水抜孔４２９のそれぞれは、平面視形状が左右方向を長手方向とする矩形状に形成されている。複数の水抜孔４２９は、前後方向及び左右方向に複数個ずつ並べて設けられており、第２上壁４２７全体に規則的に設けられている。第２上壁４２７は、矩形板状に形成されており、第１上壁４２６の下側に位置し、第１上壁４２６と所定の隙間を空けて上下方向に対向するように構成されている。連続片４２８は、第１上壁４２６及び第２上壁４２７それぞれの前端部同士を左右方向の全長にわたって連続させるように構成されている。したがって、第１上壁４２６と第２上壁４２７との間の空間は、前側が連続片４２８によって閉塞され、後側が開放している。また、第１上壁４２６と第２上壁４２７との間には、第１上壁４２６と第２上壁４２７との間隔を保つ複数の支持片４２０が設けられている。支持片４２０は、第２上壁４２７の下面における左右方向に並んだ水抜孔４２９の間の部分から下方向に延長して形成され、第１上壁４２６と第２上壁４２７とを上下方向につなぐように構成されている。
【００２５】
また、ケース４２の後壁４２２には、後方に突出するようにコネクタ４４が設けられており、このコネクタ４４に接続線Ｗ３の一端が接続される。また、Ｉ／Ｆ装置４の器体４１は、コネクタ４４を保護する保護カバー４５を備えている。保護カバー４５は、前面が開口した箱状に形成されており、後端部には接続線Ｗ３を挿通させる挿通孔４５１を有する。そして、保護カバー４５は、コネクタ４４を覆い内部に収納するように、ケース４２の後壁４２２に設けられた保持部４６によって保持される。保持部４６は、ケース４２の後壁４２２から後方に突出し、保護カバー４５の前端部を囲うように構成されており、一対の係止爪４６１を有する。保護カバー４５は、後端部が一対の係止爪４６１に引っ掛かることで、ケース４２の後壁４２２に保持される。
【００２６】
また、図３に示すように、ケース４２の後壁４２２における保持部４６の左側には、後方に突出した角状の突部４７が設けられている。この突部４７は、Ｉ／Ｆ装置４を固定する際の位置決めに用いられる。
【００２７】
上記構成のＩ／Ｆ装置４は、図５に示すように、ブラケット５７を用いて筐体５の天井板５３の上面に取り付けられる。ブラケット５７は、前片５７１と一対の側片５７２とで構成されている。前片５７１は、前後方向を厚み方向とする矩形板状に形成されており、天井板５３の前端に沿って左右方向の中央部に設けられている。一対の側片５７２は、前片５７１の左右両端それぞれから後方向に突出した矩形板状に形成されており、筐体５の天井板５３にねじを用いて固定されている。
【００２８】
ブラケット５７の前片５７１には、前後方向に貫通した２つの矩形状の貫通孔５７３，５７４が設けられている。貫通孔５７３には、Ｉ／Ｆ装置４の器体４１の保持部４６及び保護カバー４５が挿通し、貫通孔５７４には、Ｉ／Ｆ装置４の器体４１の突部４７が挿通する。これにより、Ｉ／Ｆ装置４とブラケット５７との位置決めがなされる。そして、Ｉ／Ｆ装置４は、ブラケット５７にねじを用いて固定される。
【００２９】
また、ブラケット５７の一対の側片５７２のそれぞれには、左右方向に貫通した複数の円形状の貫通孔５７５が前後方向に並んで形成されている。また、天井板５３には、充放電装置３と上下方向に対抗する位置に、複数の貫通孔５３１が左右方向に並んで設けられており、充放電装置３などから発生した熱は、貫通孔５３１を介して筐体５外に放出される。そして、Ｉ／Ｆ装置４と充放電装置３とを接続する接続線Ｗ３は、右側の側片５７２に設けられたいずれかの貫通孔５７５、及び筐体５の天井板５３に設けられたいずれかの貫通孔５３１とを通って配線される。
【００３０】
筐体５の天井板５３の上側には、天井板５３全体を覆うように屋根カバー５０３が取り付けられる。屋根カバー５０３は、下面が開口した扁平な直方体状であり、左右方向の寸法及び前後方向の寸法が天井板５３とほぼ同じ寸法に形成されている。また、屋根カバー５０３の前面には、Ｉ／Ｆ装置４の表示窓４３７及び押しボタン４３８が設けられた前面部を露出させるように開口部５０４が設けられている。また、屋根カバー５０３の後面には、通気用の貫通孔が複数設けられている。屋根カバー５０３は、天井板５３の上面における左端部及び右端部に設けられたブラケット５８、及びブラケット５７にねじを用いて固定される。
【００３１】
このように、本実施形態の蓄電システム１は、蓄電池モジュール２と、充放電装置３と、Ｉ／Ｆ装置４（インターフェース装置４）と、筐体５とを備える。充放電装置３は、蓄電池モジュール２の充放電を制御する。Ｉ／Ｆ装置４は、表示機能と操作機能との少なくとも一方を有し、充放電装置３の動作に関する情報を充放電装置３との間で受け渡す。筐体５は、蓄電池モジュール２、充放電装置３、及びＩ／Ｆ装置４が取り付けられる。そして、蓄電池モジュール２、及び充放電装置３は、筐体５の内側に収納され、Ｉ／Ｆ装置４は、筐体５の外側に取り付けられる。
【００３２】
上記構成により、ユーザが目視あるいは操作するＩ／Ｆ装置４が、蓄電池モジュール２及び充放電装置３を内部に収納した筐体５の外側に取り付けられる。したがって、ユーザは、筐体５の蓋５０１を取り外すことなくＩ／Ｆ装置４を目視あるいは操作することができる。これにより、ユーザが、比較的大きい電力を取り扱う蓄電池モジュール２及び充放電装置３などに触れることが防止され、安全性を向上させることができる。
【００３３】
また、Ｉ／Ｆ装置４は、筐体５の上面側に取り付けられている。上記構成により、屋外の地面に設置された蓄電システム１の上部にＩ／Ｆ装置４が位置することとなるので、ユーザがＩ／Ｆ装置４の目視、及び操作がしやすくなる。
【００３４】
また、筐体５の上面には、筐体５の内側と外側とを連続させる貫通孔５３１が設けられ、Ｉ／Ｆ装置４と充放電装置３とは、貫通孔５３１を通る接続線Ｗ３を介して電気的に接続される。そして、蓄電システム１は、筐体５の上面の上側において少なくとも貫通孔５３１を覆う屋根カバー５０３を備える。
【００３５】
上記構成により、貫通孔５３１は、充放電装置３などから発生した筐体５内の熱を筐体５外に放出させる通気孔としての機能と、接続線Ｗ３を通す配線挿通孔としての機能とを兼用することができる。また、貫通孔５３１を覆うように屋根カバー５０３が取り付けられるので、貫通孔５３１を介して筐体５内に水が浸入することが抑制される。
【００３６】
また、屋根カバー５０３は、筐体５の上面全体の上側を覆うように構成されている。上記構成により、貫通孔５３１を介して筐体５内に水が浸入することをより抑制することができ、防水性を向上させることができる。さらに屋根カバー５０３は、筐体５の天井板５３に設けられたＩ／Ｆ装置４も覆っているので、Ｉ／Ｆ装置４の器体４１内に水が浸入することを抑制することができる。
【００３７】
また、Ｉ／Ｆ装置４の器体４１は、ケース４２と、前壁４３２及び前壁４３２の上端部から後向きに突出した上壁４３３を有しケース４２を覆うカバー４３とを備える。ケース４２は、第１上壁４２６と第２上壁４２７と連続片４２８とを備える。第１上壁４２６は、カバー４３の上壁４３３の下側に重なる。第２上壁４２７は、第１上壁４２６の下側において、第１上壁４２６と所定の隙間を空けて上下方向に対向する。連続片４２８は、第１上壁４２６及び第２上壁４２７それぞれの前端部同士を全長にわたって連続させる。そして、第２上壁４２７は、上下方向に貫通し、前後方向に並んで形成された複数の水抜孔４２９を有する。
【００３８】
上記構成により、カバー４３の上壁４３３の下面を伝って器体４１内に浸入しようとする水が、カバー４３の上壁４３３の下側に重なる第１上壁４２６に設けられた水抜孔４２９に表面張力によって引き込まれやすくなる。第１上壁４２６と第２上壁４２７との間に形成された空間は、前方が連続片４２８によって閉塞されており、後方のみが開放している。したがって、第２上壁４２７が水受けとして機能し、水抜孔４２９に引き込まれた水は、自重によって第２上壁４２７に滴下し、第１上壁４２６と第２上壁４２７との間の空間の後側から排水される。これにより、Ｉ／Ｆ装置４の器体４１内への水の浸入が抑制される。したがって、Ｉ／Ｆ装置４の器体４１にパッキン、ガスケット、水切りなどの構成が不要となる。さらに、水抜孔４２９は、前後方向に並んで設けられているので、より器体４１内への水の浸入を抑制することができる。
【００３９】
また、図６に示すように、筐体５は、天井板５３に設けられた貫通孔５３１の縁の全周に沿って上方に向かって形成されたフランジ５３２を有する構成であってもよい。フランジ５３２は、貫通孔５３１の周囲をバーリング加工することにより形成された立上げ部である。貫通孔５３１の縁にフランジ５３２が形成されることによって、屋根カバー５０３内に浸入した水が天井板５３を伝って貫通孔５３１に入ることを抑制することができ、防水性を向上させることができる。
【００４０】
次に、蓄電システム１の変形例について図７を用いて説明する。
【００４１】
本変形例の蓄電システム１は、筐体５の上面に、筐体５の内側と外側とを連続させる貫通孔５３３が設けられ、Ｉ／Ｆ装置４と充放電装置３とは、貫通孔５３３を通る接続線Ｗ３を介して電気的に接続される。そして、貫通孔５３３は、Ｉ／Ｆ装置４の器体４１によって覆われる。
【００４２】
具体的には、貫通孔５３３は、天井板５３の左右方向の中央部におけるブラケット５７の前片５７１の後側に設けられている。また、貫通孔５３３の周囲をバーリング加工することにより形成されたフランジ５３４が設けられている。
【００４３】
Ｉ／Ｆ装置４の器体４１は、保護カバー４５の下面に貫通孔５３３の径よりも大きい貫通孔４５２が設けられている。そして、保護カバー４５は、貫通孔４５２にフランジ５３４が挿通し、貫通孔５３３の上側を覆うようにケース４２に取り付けられる。
【００４４】
上記構成により、貫通孔５３３は、Ｉ／Ｆ装置４の器体４１によって覆われるので、貫通孔５３３を介して筐体５内に水が浸入することを抑制することができる。また、貫通孔５３３がコネクタ４４の近くに設けられるので、接続線Ｗ３の引き回しが容易となり、接続線Ｗ３をコネクタ４４に接続しやすくなる。また、接続線Ｗ３における筐体５の外側に露出する部分の線長が短くなるので、接続線Ｗ３の断線を抑制することができる。
【００４５】
なお、本実施形態では、Ｉ／Ｆ装置４は、表示機能と操作機能との両方を備えているが、表示機能と操作機能との少なくとも一方のみを備えた構成であってもよい。
【符号の説明】
【００４６】
１  蓄電システム
２  蓄電池モジュール
３  充放電装置
４  インターフェース装置
４１  器体
４２  ケース
４２１  開口部
４２６  第１上壁
４２７  第２上壁
４２８  連続片
４２９  水抜孔
４３カバー
４３２  前壁
４３３  上壁
５  筐体
５０３  屋根カバー
５３１  貫通孔
５３２,５３４  フランジ
Ｗ３  接続線
【図１】
2016219284.tif 000003
【図２】
2016219284.tif 000004
【図３】
2016219284.tif 000005
【図４】
2016219284.tif 000006
【図５】
2016219284.tif 000007
【図６】
2016219284.tif 000008
【図７】
2016219284.tif 000009